(57)【特許請求の範囲】
【請求項１】
回路基板を収納する基板収納ケースの開口部を覆うように装着される基板収納ケースカバーであって、
装着された時に前記基板収納ケースに対向する面に設けられ、前記基板収納ケースに固定される固定部と、
前記固定部が設けられた部分を切り離すための複数のスリットと、
前記スリットで囲まれた部分に前記固定部を囲むように設けられる第１のリブと、
を備えたことを特徴とする基板収納ケースカバー。
【請求項２】
前記第１のリブの先端部は、前記基板収納ケースに装着されたときに、前記基板収納ケースに接することを特徴とする、請求項１に記載の基板収納ケースカバー。
【請求項３】
前記スリットで囲まれた部分の外側を囲むように設けられる第２のリブを、更に備えたことを特徴とする、請求項１または２に記載の基板収納ケースカバー。
【請求項４】
前記第２のリブの先端部は、前記基板収納ケースに装着されたときに、前記基板収納ケースに接することを特徴とする、請求項３に記載の基板収納ケースカバー。
【請求項５】
回路基板を収納する、カバー付き基板収納ケースであって、
前記回路基板をその内側に配置するケースと、
前記ケースの開口部を覆うように装着されるカバーと、
を備え、
前記カバーは、
装着された時に前記ケースに対向する面に設けられ、前記ケースに固定される固定部と、
前記固定部が設けられた部分を切り離すための複数のスリットと、
を有し、
前記ケースは、前記カバーが装着されたときに前記固定部を囲みその先端部が前記スリットで囲まれた部分に接する第１のリブを有する
ことを特徴とするカバー付き基板収納ケース。
【請求項６】
前記ケースは、前記カバーが装着されたときにその先端部が前記スリットで囲まれた部分の外側を囲むように接する第２のリブを更に有する
ことを特徴とする、請求項５に記載のカバー付き基板収納ケース。
【請求項７】
前記カバーは、前記スリットで囲まれた部分の外側を囲むように設けられ、前記ケースに装着されたときにその先端部が前記ケースに接する第２のリブを更に有する
ことを特徴とする、請求項５に記載のカバー付き基板収納ケース。
【発明の詳細な説明】
【技術分野】
【０００１】
本発明は、電子機器に設けられる回路基板を収納する基板収納ケースに装着される基板収納ケースカバー、および当該カバー付き基板収納ケースに関する。
【背景技術】
【０００２】
パチンコやパチスロなどの遊技機器において、その遊技内容を変更する不正な改造（例えばＲＯＭの付け替えなど）が行なわれる場合がある。この不正改造を防止するために、遊技機器の制御を行なう回路基板は、特殊な基板収納ケースに収納して設置されている。この基板収納ケースは、収納されている回路基板に不正改造が行なわれていないかを目視できるように、透明もしくは半透明の材料で形成されている。また、収納されている回路基板に不正改造が行なわれた場合に、基板収納ケースにその痕跡（例えば、目視で直ちに視認できるような破損など）が残るように工夫がされている。
【０００３】
例えば、特開平９−２１５８１８号公報には、回路基板の封印状態が解除された場合に、その痕跡が残る工夫がされた基板収納ケースについて記載されている。この公報によると、回路基板の封印状態を解除するためには、基板収納ケースを構成する箱体とカバー体とを連結する連結部分を切断する必要がある。したがって、当該連結部分が切断されている場合には、何者かにより不正改造が行なわれたことが推測される。
【０００４】
【特許文献１】特開平９−２１５８１８号公報
【発明の開示】
【発明が解決しようとする課題】
【０００５】
しかしながら、近年、回路基板の不正改造以外にも、回路基板のコネクタに接続されているケーブルを取り外して、用意した不正な回路基板に接続する方法で、遊技内容を変更する不正行為が発生している。上記公報に記載されている基板収納ケースにおいては、回路基板のコネクタがカバー体に覆われておらず、この不正行為を防止することができない。また、コネクタまでカバー体で覆うようにした場合、ケーブルを通すための開口部が必要となり、今度はその開口部から針金などで回路基板に不正行為が行なわれる可能性もある。
【０００６】
本発明は上記した事情のもとで考え出されたものであって、回路基板の不正改造だけでなく、ケーブルの取り外しによる不正行為も防止することができ、不正行為が行なわれた場合にその痕跡が残る基板収納ケースカバー、および当該カバー付き基板収納ケースを提供することをその目的としている。
【課題を解決するための手段】
【０００７】
上記課題を解決するため、本発明では、次の技術的手段を講じている。
【０００８】
本発明の第１の側面によって提供される基板収納ケースカバーは、回路基板を収納する基板収納ケースの開口部を覆うように装着される基板収納ケースカバーであって、装着された時に前記基板収納ケースに対向する面に設けられ、前記基板収納ケースに固定される固定部と、前記固定部が設けられた部分を切り離すための複数のスリットと、前記スリットで囲まれた部分に前記固定部を囲むように設けられる第１のリブと、を備えたことを特徴とする。
【０００９】
この構成によると、前記基板収納ケースカバーを取り外すことなく、前記基板収納ケースに収納されている前記回路基板を改造することはできない。また、前記回路基板のコネクタに接続されたケーブルを通すための開口部が前記基板収納ケースに設けられていても、前記基板収納ケースカバーを取り外すことなく前記ケーブルを取り外すことはできない。一方、前記カバーは、その内側に設けられた前記固定部により前記基板収納ケースに固定されており、外部からは取り外すことができない。したがって、前記基板収納ケースカバーを破壊する以外に、前記回路基板の改造や前記ケーブルの取り外しをすることができない。すなわち、何者かが不正を行なった場合には、前記基板収納ケースカバーが破壊されるという痕跡が残ることになる。
【００１０】
また、この構成によると、前記固定部が設けられた部分を切り離すための複数のスリットが設けられている。したがって、メーカーの作業員が前記回路基板の修理をする場合や、検査員が前記回路基板を検査する場合は、前記スリットの間の部分をニッパなどで切断することで、容易に前記基板収納ケースカバーを破壊することができる。
【００１１】
さらに、この構成によると、前記スリットと前記固定部との間に前記第１のリブが設けられている。したがって、前記スリットから針金などを挿入しても、前記第１のリブによって妨げられる。したがって、前記針金などが前記固定部まで届かないので、前記固定部を操作して固定状態を解除することはできない。
【００１２】
本発明の好ましい実施の形態においては、前記第１のリブの先端部は、前記基板収納ケースに装着されたときに、前記基板収納ケースに接する。
【００１３】
この構成によると、前記スリットから挿入された前記針金などによる前記固定部の操作を、より確実に妨げることができる。
【００１４】
本発明の好ましい実施の形態においては、前記固定部は、前記基板収納ケースに設けられた係止孔に係合するための係止部である。
【００１５】
この構成によると、前記基板収納ケースカバーの係止部は、前記基板収納ケースの係止孔に係合することにより、前記基板収納ケースカバーを前記基板収納ケースに固定する前記固定部として作用する。前記係止部は前記係止孔に係合しているだけなので、前記基板収納ケースカバーを破壊した後、係合している前記係止部を前記係合孔から容易に取り除くことができる。したがって、前記基板収納ケースを再度使用することができる。
【００１６】
本発明の好ましい実施の形態においては、前記スリットで囲まれた部分の外側を囲むように設けられる第２のリブを、更に備えた。
【００１７】
この構成によると、前記スリットが、前記第１のリブと前記第２のリブとにより囲まれている。したがって、前記開口部が前記第１のリブと前記第２のリブとの間に位置しないように設けられていれば、前記スリットから針金などを挿入しても前記第１のリブまたは前記第２のリブによって妨げられる。したがって、前記針金などが前記開口部まで届かないので、前記開口部から不正行為が行なわれることを防ぐことができる。
【００１８】
本発明の好ましい実施の形態においては、前記第２のリブの先端部は、前記基板収納ケースに装着されたときに、前記基板収納ケースに接する。
【００１９】
この構成によると、前記スリットから挿入された前記針金などによる前記開口部での不正行為を、より確実に妨げることができる。
【００２０】
本発明の第２の側面によって提供されるカバー付き基板収納ケースは、回路基板を収納する、カバー付き基板収納ケースであって、前記回路基板をその内側に配置するケースと、前記ケースの開口部を覆うように装着されるカバーと、を備え、前記カバーは、装着された時に前記ケースに対向する面に設けられ、前記ケースに固定される固定部と、前記固定部が設けられた部分を切り離すための複数のスリットと、を有し、前記ケースは、前記カバーが装着されたときに前記固定部を囲みその先端部が前記スリットで囲まれた部分に接する第１のリブを有することを特徴とする。
【００２１】
この構成によると、本発明の第１の側面によって提供される基板収納ケースカバーと同様の効果を奏することができる。更に、前記カバーの構造をより簡単にすることができる。
【００２２】
本発明の好ましい実施の形態においては、前記ケースは、前記カバーが装着されたときにその先端部が前記スリットで囲まれた部分の外側を囲むように接する第２のリブを更に有する。
【００２３】
本発明の好ましい実施の形態においては、前記カバーは、前記スリットで囲まれた部分の外側を囲むように設けられ、前記ケースに装着されたときにその先端部が前記ケースに接する第２のリブを更に有する。
【００２４】
これらの構成によると、前記スリットが、前記第１のリブと前記第２のリブとにより囲まれている。したがって、前記開口部が前記第１のリブと前記第２のリブとの間に位置しないように設けられていれば、前記スリットから針金などを挿入しても前記第１のリブまたは前記第２のリブによって妨げられる。したがって、前記針金などが前記開口部まで届かないので、前記開口部から不正行為が行なわれることを防ぐことができる。
【００２５】
本発明のその他の特徴および利点は、添付図面を参照して以下に行う詳細な説明によって、より明らかとなろう。
【発明を実施するための最良の形態】
【００２６】
以下、本発明の好ましい実施の形態を、図面を参照して具体的に説明する。
【００２７】
図１は、本発明に係る基板収納ケースカバーの第１実施形態を、中継基板の基板収納ケースに装着したパチスロ機の一例を説明するための図である。パチスロ機Ａの本体Ａ２には、前面ドアＡ１が開閉自在に設けられている。図１は、パチスロ機Ａの前面ドアＡ１を開いた状態を示しており、前面ドアＡ１の裏側と、本体Ａ２の内部が示されている。なお、図１において、説明に必要のない部品などは省略している。
【００２８】
パチスロ機Ａには、パチスロ機Ａ全体の制御を行なうメイン基板が備えられている。メイン基板は、不正防止のため、基板収納ケース２に収納された上で、本体Ａ２の奥の方に設置されている。前面ドアＡ１には、図示しない表示画面、スピーカー、各種ボタン、リールユニット、投入されたメダルの識別機構などが設けられている。これらの前面ドアＡ１に設けられた装置をメイン基板が直接制御する場合、各装置とメイン基板との間に配線が必要となる。しかし、前面ドアＡ１を開閉するためには、これらの配線が邪魔になる。したがって、メイン基板による制御を中継するために、中継基板が前面ドアＡ１の裏面に設置されている。
【００２９】
中継基板は、ケーブル３によりメイン基板と接続され、各ケーブル４により前面ドアＡ１に設けられた各装置（図示省略）と接続されている。中継基板は、メイン基板から受信した制御信号を各装置に送信し、各装置から受信した信号をメイン基板に送信する。装置に接続されたケーブル４を取り外して、用意した不正な回路基板に接続するという不正行為を防止するため、中継基板はカバー付き基板収納ケース１に収納されている。
【００３０】
以下、このカバー付き基板収納ケース１について、図２ないし図５を参照して説明する。図２および図３は、カバー付き基板収納ケース１の分解斜視図である。図３は、図２の方向Ｘから見たものである。図４は図１のＩＶ−ＩＶ断面図であり、図５は図１のＶ−Ｖ断面図である。
【００３１】
図４によく表れているように、カバー付き基板収納ケース１は、カバー１１、上ケース１２、下ケース１３により構成されている。カバー付き基板収納ケース１は、回路基板１４を収納するものであり、回路基板１４を不正改造や不正接続から防御するものである。回路基板１４は、本実施形態では上述した中継基板である。図４においては図示を省略しているが、回路基板１４の搭載面１４ａには、信号の送受信のための回路素子が搭載されており、配線パターンが設けられている。また、搭載面１４ａには、メイン基板と接続されるケーブル３を接続するためのコネクタ１４１と、各装置と接続される各ケーブル４を接続するための複数のコネクタ１４２とが設けられている（図２参照）。
【００３２】
図２によく表れているように、上ケース１２は長尺箱型状であり、その底板１２ａが一部窪んだ形状を成している。これは、回路基板１４が長尺矩形状であり、その搭載された回路素子やコネクタ１４１の高さが異なることに合わせたものであり、上ケース１２の形状はその収納される回路基板１４の形状などに合わせて適宜設計される。上ケース１２は、ポリカーボネートやＡＢＳ樹脂などの透明樹脂の射出成形などにより、形成される。透明樹脂としたのは、収納されている回路基板１４を目視できるようにするためである。
【００３３】
上ケース１２の底板１２ａには、後述するカバー１１を係止するための２つの係止孔１２１と、回路基板１４に設けられたコネクタ１４１の上部が開放されるための開口部１２２とが設けられている。また、上ケース１２の一方の長尺側の側板（図２において、手前側の側板）１２ｂから底板１２ａにかけての一部には、回路基板１４に設けられたコネクタ１４２にケーブルを接続するための開口部１２３が設けられている。開口部１２２および開口部１２３の位置および大きさは、回路基板１４に設けられたコネクタ１４１およびコネクタ１４２の位置および大きさに応じて、適宜設計される。また、上ケース１２の底板１２ａの長手方向両端部には、それぞれ２個ずつネジ孔１２４が穿設されている。
【００３４】
図４に表れているように、上ケース１２の底板１２ａの内側面（図４において、下側の面）には、複数のリブ１２５が設けられている。このリブ１２５は、後述する下ケース１３に設けられたリブとの間で、回路基板１４を固定するものである。また、上ケース１２の短尺側の側板（図４において、左右の側板）１２ｃおよび１２ｄの外側面には、下ケースと係合するための係合部１２６が設けられている。
【００３５】
図３によく表れているように、下ケース１３は長尺箱型状であり、ポリカーボネートやＡＢＳ樹脂などの透明樹脂の射出成形などにより形成される。下ケース１３の形状も回路基板１４の形状に合わせて適宜設計される。また、透明樹脂としたのも、収納されている回路基板１４を目視できるようにするためである。
【００３６】
図４に表れているように、下ケース１３の底板１３ａの内側面（図４において、上側の面）には、複数のリブ１３１が設けられている。このリブ１３１は、上ケース１２に設けられたリブ１２５との間で、回路基板１４を固定するものである。また、下ケース１３の短尺側の側板（図４において、左右の側板）１３ｂおよび１３ｃの端部には、上ケースと係合するための係合部１３２が設けられている。また、図３に表れているように、下ケース１３の底板１３ａの長手方向両端部には、それぞれ２個ずつネジ孔１３３が穿設されている。
【００３７】
図４に表れているように、上ケース１２と下ケース１３とは、その間に回路基板１４を挟んで、係合部１２６と係合部１３２とが係合することにより、固定されている。さらに、上ケース１２、回路基板１４、および下ケース１３は、上ケースのネジ孔１２４、図示しない回路基板１４に穿設された孔、および下ケースのネジ孔１３３を通したネジにより、パチスロ機Ａに固定される。
【００３８】
図２によく表れているように、カバー１１は長尺箱型状であり、ポリカーボネートやＡＢＳ樹脂などの透明樹脂の射出成形などにより形成される。透明樹脂としたのは、収納されている回路基板１４を目視できるようにするためである。
【００３９】
カバー１１は、固着された上ケース１２および下ケース１３を覆うような大きさと形状となっている。カバー１１の内側の長尺寸法および短尺寸法は、それぞれ下ケース１３の外側の長尺寸法および短尺寸法よりわずかに大きいものである。したがって、図４によく表れているように、カバー１１は、一体となった上ケース１２および下ケース１３を、一部を除いてほぼ隙間なく覆っている。
【００４０】
カバー１１は、側板の一部が少し外部に突出した形状となっている（図２参照）。この突出部分は、カバー１１が一体となった上ケース１２および下ケース１３を覆うように装着されたときに、上ケース１２の開口部１２３に対向する部分と、開口部１２２に近接する部分となる。当該突出部分は、開口部１２３および開口部１２２から延びるケーブル３およびケーブル４を通すための隙間を確保するためのものである（図５参照）。また、カバー１１が装着されたときに取り付け面との間にケーブル４を通すための隙間ができるように、カバーの高さは設計されている（図５参照）。
【００４１】
図４によく表れているように、カバー１１の底板１１ａの内側面（図４において、下側の面）には、２つの係止部１１１が設けられている。カバー１１は、２つの係止部１１１を上ケースの係止孔１２１に係合させることにより、上ケース１２に固定される。また、カバー１１の底板１１ａには、２つの係止部１１１を囲むように、複数のスリット１１２が設けられている。本実施形態において、複数のスリット１１２は、図２に表れているように、略長方形状の部分（以下、「残留部分」とする。）１１３を囲んでいる。
【００４２】
図４によく表れているように、カバー１１の底板１１ａの内側面には、複数のスリット１１２を挟むように、第１のリブ１１４および第２のリブ１１５が設けられている。図３によく表れているように、第１のリブ１１４は、残留部分１１３のすぐ内側に、略長方形状に設けられている。また、第２のリブ１１５は、残留部分１１３のすぐ外側に、略長方形状に設けられている。第１のリブ１１４および第２のリブ１１５の先端部は、上ケース１２の底板１２ａに接している。
【００４３】
次に、カバー付き基板収納ケース１の作用について説明する。
【００４４】
本実施形態において、回路基板１４は、上ケース１２と下ケース１３に挟まれて固定され、さらにその上からカバー１１により覆われている。したがって、カバー１１を取り外すことなく、上ケース１２および下ケース１３の間に配置されている回路基板１４を改造することはできない。また、カバー１１は、上ケース１２の開口部１２２，１２３を覆う形状に形成されている。したがって、カバー１１を取り外すことなく、回路基板１４のコネクタ１４１，１４２に接続されたケーブル３，４を取り外すことはできない。
【００４５】
カバー１１は、底板１１ａの内側面に設けられた２つの係止部１１１がそれぞれ上ケース１２の係止孔１２１に係合することにより、上ケース１２に固定されている。したがって、外部からこの係合を解除して、カバー１１を上ケース１２から取り外すことはできない。したがって、カバー１１を破壊する以外に、回路基板１４の改造やケーブル３，４の取り外しをすることができない。すなわち、何者かが不正行為を行なった場合には、カバー１１が破壊されるという痕跡が残ることになる。
【００４６】
また、本実施形態において、カバー１１には、残留部分１１３を切り離すための複数のスリット１１２が設けられている。したがって、メーカーの作業員が回路基板の修理をする場合や、検査員が回路基板１４を検査する場合、各スリット１１２の間の部分１１２ａをニッパなどで切断することで、容易にカバー１１を破壊することができる。
【００４７】
図６は、各スリット１１２の間の部分１１２ａを切断して、残留部分１１３以外を取り外した状態を説明するための図である。カバー１１は、残留部分１１３の係止部１１１のみで上ケース１２に固定されている。したがって、残留部分１１３をカバー１１から切り離した場合、カバー１１は容易に取り外すことができる。上ケース１２上には、図６に示すように、残留部分１１３のみが残ることになる。作業員などは、上ケース１２のネジ孔１２４に螺合されているネジを外すことにより、上ケース１２と下ケース１３とに挟まれた回路基板１４を取り出し、作業をすることができる。
【００４８】
上ケース１２に残された残留部分１１３は、上ケース１２の開口側から係止部１１１の係合を解除することで、上ケース１２から容易に取り外すことができる。作業後は、上ケース１２と下ケース１３との間に回路基板１４を挟んでネジでパチスロ機Ａに固定し、新たに用意したカバー１１を上ケース１２に装着する。以上により、新しいカバー１１を用意することができる正規の作業員などは、カバー１１を容易に破壊して、回路基板１４の修理や検査を行なうことができる。
【００４９】
さらに、本実施形態において、カバー１１には、スリット１１２と係止部１１１との間に第１のリブ１１４が設けられている。この第１のリブ１１４の先端部は上ケース１２に接している。したがって、スリット１１２から針金などを挿入しても係止部１１１まで届かないので、係止部１１１を押して係止状態を解除することはできない。また、カバー１１には、残留部分１１３のすぐ外側に第２のリブ１１５が設けられている。この第２のリブ１１５の先端部は上ケース１２に接している。したがって、スリット１１２から針金などを挿入しても開口部１２２，１２３まで届かないので、ケーブル３，４を取り外すこと及びケーブル３，４に接触することはできない。すなわち、スリット１１２から不正行為を行なうことを妨げることができる。
【００５０】
本発明に係る基板収納ケースカバーは、上述した実施形態に限定されるものではない。本発明に係る基板収納ケースカバーの各部の具体的な構成は、種々に設計変更自在である。
【００５１】
カバー１１、上ケース１２、および下ケース１３の形状は、収納される回路基板１４の形状ならびに回路基板１４に搭載される回路素子およびコネクタの位置および大きさに合わせて設計される。また、カバー１１、上ケース１２、および下ケース１３の材質は、透明であればよい。
【００５２】
カバー１１に設けられる係止部１１１の数は２個に限られず、３個以上でもよい。また、カバー１１の係止部１１１を上カバー１２の係止孔１２１に係合させてカバー１１を係止するのではなく、他の係合方法でカバー１１を上ケース１２に係止してもよい。また、係合以外の他の方法で固定してもよい。外部から解除できるものでなければ、カバー１１と上ケース１２とを固定する構成は、それぞれの底板に設けられていなくてもよく、それぞれの側板に設けられていてもよい。
【００５３】
第１のリブ１１４は、複数のスリット１１２により囲まれる部分の内側であり、すべての係止部１１１を囲んでいれば、その位置および形状は限定されない。例えば、各係止部１１１を個別に囲む形状であってもよい。
【００５４】
図７（ａ）は、２個の係止部１１１がそれぞれ別の第１のリブ１１４’により囲まれているカバー１１’を、開口側から見た図である。この場合でも、スリット１１２から挿入された針金などによる係止部１１１の係止状態の解除を妨げることができる。
【００５５】
第２のリブ１１５は、開口部１２２および開口部１２３がその外側に位置する範囲であれば、その位置および形状は限定されない。係止部１１１への不正行為を防止することだけが目的であれば、第２のリブ１１５が設けられていなくてもよい。
【００５６】
上記実施形態では、第１のリブ１１４および第２のリブ１１５がカバー１１に設けられている場合を説明したが、これに限られない。第１のリブ１１４または第２のリブ１１５のいずれか一方または両方が、上ケース１２の底板１２ａの外側面に設けられていてもよい。その場合、上ケース１２に設けられたリブの先端部は、カバー１１の底板１１ａに接する必要がある。
【００５７】
複数のスリット１１２により囲まれる部分の形状は、その部分にすべての係止部１１１が含まれていれば、略長方形状に限定されない。また、各係止部１１１が、それぞれ個別に、複数のスリット１１２により囲まれていてもよい。
【００５８】
図７（ｂ）は、２個の係止部１１１がそれぞれ複数のスリット１１２”により囲まれているカバー１１”を、開口側から見た図である。第１のリブ１１４”および第２のリブ１１５”は、複数のスリット１１２”を挟むように設けられている。この場合でも、スリット１１２”から挿入された針金などによる係止部１１１の係止状態の解除を妨げることができる。
【００５９】
上記実施形態では、カバー１１が箱形状の場合を説明したが、これに限られない。例えば、開口部１２２，１２３とネジ孔１２４とが上ケース１２の底板１２ａにのみ設けられている場合は、カバー１１が板形状であってもよい。
【００６０】
上記実施形態では、回路基板１４が上ケース１２と下ケース１３に挟まれて配置されている場合を説明したが、これに限られない。例えば、上ケース１２がなく、回路基板１４が下ケース１３に配置されて、その上からカバー１１が装着される構成でもよい。この場合、カバー１１は、下ケース１３に固定されることになる。
【００６１】
上記実施形態では、本発明を中継基板の基板収納ケースのカバーに適用した場合について説明したが、これに限られない。本発明は、中継基板以外のメイン基板などの基板収納ケースのカバーにも適用できる。
【００６２】
上記実施形態では、本発明をパチスロ機の基板収納ケースのカバーに適用した場合について説明したが、これに限られない。本発明は、パチンコ機などの他の遊技機器の基板収納ケースのカバーにも適用できる。また、遊技機器以外の電子機器においても、不正な改造を防止する必要がある回路基板の基板収納ケースのカバーに適用できる。例えば、法律で仕様が制限されている電子機器の改造を防止する場合や、クレジットカードの読み取り機において、読み取りデータを不法記録するＲＡＭの取り付けを防止する場合などにも有効である。
【図面の簡単な説明】
【００６３】
【図１】本発明に係る基板収納ケースカバーの第１実施形態を、中継基板の基板収納ケースに装着したパチスロ機の一例を説明するための図である。
【図２】カバー付き基板収納ケースの分解斜視図である。
【図３】カバー付き基板収納ケースの分解斜視図であり、図２の方向Ｘから見た図である。
【図４】図１のＩＶ−ＩＶ断面図である。
【図５】図１のＶ−Ｖ断面図である。
【図６】カバーの残留部分のみが残った状態を説明するための図である。
【図７】カバーの他の実施例を説明するための図である。
【符号の説明】
【００６４】
１  カバー付き基板収納ケース
１１，１１’，１１”  カバー
１１ａ  底板
１１１  係止部
１１２，１１２”  スリット
１１３  残留部分
１１４，１１４’，１１４”  第１のリブ
１１５，１１５”  第２のリブ
１２  上ケース
１２ａ  底板
１２ｂ  長尺側の側板
１２ｃ，１２ｄ  短尺側の側板
１２１  係止孔
１２２，１２３  開口部
１２４  ネジ孔
１２５  リブ
１２６  係合部
１３  下ケース
１３ａ  底板
１３ｂ，１３ｃ  短尺側の側板
１３１  リブ
１３２  係合部
１４  回路基板
１４ａ  搭載面
１４１，１４２  コネクタ
【図１】
0004654393.tif 000002
【図２】
0004654393.tif 000003
【図３】
0004654393.tif 000004
【図４】
0004654393.tif 000005
【図５】
0004654393.tif 000006
【図６】
0004654393.tif 000007
【図７】
0004654393.tif 000008